(57)【要約】【課題】老若男女を問わず誰でも熱変色性の像または筆跡を摩擦熱で確実且つ容易に熱変色させることができる摩擦体を提供する。【解決手段】本発明の摩擦体７は、熱変色性インキを用いて紙面上に形成した熱変色性の像または筆跡を摩擦し、その際に生じる摩擦熱で熱変色性の像または筆跡を熱変色させるものである。摩擦体７の摩擦部の熱伝導率を、０．０５Ｗ／（ｍ・Ｋ）〜５０Ｗ／（ｍ・Ｋ）の範囲に設定する。摩擦体７の摩擦部の紙面に対する摩擦係数を、０．２〜１．０の範囲に設定する。前記摩擦体７を、熱変色性インキを内蔵し且つ熱変色性インキが吐出可能な筆記具の一部に備える。また、前記摩擦体と、熱変色性インキを内蔵し且つ熱変色性インキが吐出可能な筆記具とを組合せて筆記具セットとする。【選択図】  図１
2008290392.tif 000002
【特許請求の範囲】
【請求項１】
熱変色性インキを用いて紙面上に形成した熱変色性の像または筆跡を摩擦し、その際に生じる摩擦熱で前記熱変色性の像または筆跡を熱変色させる摩擦体であって、
前記摩擦体の摩擦部の熱伝導率を、０．０５Ｗ／（ｍ・Ｋ）〜５０Ｗ／（ｍ・Ｋ）の範囲に設定したことを特徴とする摩擦体。
【請求項２】
前記摩擦体の摩擦部の熱伝導率を、０．０５Ｗ／（ｍ・Ｋ）〜２０Ｗ／（ｍ・Ｋ）の範囲に設定した請求項１記載の摩擦体。
【請求項３】
前記摩擦体の摩擦部の熱伝導率を、０．０５Ｗ／（ｍ・Ｋ）〜１０Ｗ／（ｍ・Ｋ）の範囲に設定した請求項１記載の摩擦体。
【請求項４】
前記摩擦体の摩擦部の紙面に対する摩擦係数を、０．２〜１．０の範囲に設定した請求項１乃至３のいずれかに記載の摩擦体。
【請求項５】
請求項１乃至４のいずれかに記載の摩擦体を、熱変色性インキを内蔵し且つ熱変色性インキが吐出可能な筆記具の一部に備えた筆記具。
【請求項６】
請求項１乃至４のいずれかに記載の摩擦体と、熱変色性インキを内蔵し且つ熱変色性インキが吐出可能な筆記具とからなる筆記具セット。
【発明の詳細な説明】
【技術分野】
【０００１】
本発明は、熱変色性の像または筆跡を摩擦熱で熱変色可能な摩擦体、前記摩擦体を備えた筆記具、及び前記摩擦体と筆記具とを組み合わせた筆記具セットに関する。
【背景技術】
【０００２】
従来、可逆熱変色性インキを用いて形成された像を、摩擦熱により第１状態から第２状態に変色させる弾性を有する摩擦体について、例えば、文献１、文献２がある。
【０００３】
【特許文献１】特開２００４−１４８７４４号公報
【特許文献２】特開２００６−１２３３２４号公報
【発明の開示】
【発明が解決しようとする課題】
【０００４】
前記従来の摩擦体では、熱変色性の像または筆跡を、手動摩擦による摩擦熱で、老若男女を問わず誰でも確実且つ容易に熱変色させるには、まだ改善の余地があった。
【０００５】
本発明は、前記従来の問題点を解決するものであり、老若男女を問わず誰でも熱変色性の像または筆跡を摩擦熱で確実且つ容易に熱変色させることができる摩擦体を提供しようとするものである。
【課題を解決するための手段】
【０００６】
本発明の発明者は、摩擦体の摩擦部の熱伝導率に着目し、鋭意研究を重ねた結果、摩擦体の摩擦部の熱伝導率を特定範囲に設定することにより、熱変色性の像または筆跡を摩擦体の摩擦熱で確実に熱変色可能となることを見出した。
【０００７】
本願の第１の発明は、熱変色性インキを用いて紙面上に形成した熱変色性の像または筆跡を摩擦し、その際に生じる摩擦熱で前記熱変色性の像または筆跡を熱変色させる摩擦体であって、前記摩擦体の摩擦部の熱伝導率を、０．０５Ｗ／（ｍ・Ｋ）〜５０Ｗ／（ｍ・Ｋ）の範囲に設定したことを要件とする。
【０００８】
前記第１の発明の摩擦体は、０．０５Ｗ／（ｍ・Ｋ）〜５０Ｗ／（ｍ・Ｋ）の範囲に設定したことにより、老若男女を問わず誰でも熱変色性の像または筆跡を手動摩擦による摩擦熱で確実且つ容易に熱変色させることができる。
【０００９】
前記摩擦体の摩擦部の熱伝導率が、５０ワット毎メートル毎ケルビン（Ｗ／（ｍ・Ｋ））を超える場合、例えば、老人や子供では、摩擦体の摩擦熱で熱変色性の像または筆跡を確実に熱変色させることができないおそれがある。一方、前記摩擦体の摩擦部の熱伝導率が、０．０５ワット毎メートル毎ケルビン（Ｗ／（ｍ・Ｋ））より小さい場合、過熱により摩擦体や紙面を損傷させるおそれがある。
【００１０】
本願の第２の発明は、前記第１の発明において、前記摩擦体の摩擦部の熱伝導率を、０．０５Ｗ／（ｍ・Ｋ）〜２０Ｗ／（ｍ・Ｋ）の範囲に設定したことを要件とする。
【００１１】
前記第２の発明の摩擦体は、０．０５Ｗ／（ｍ・Ｋ）〜２０Ｗ／（ｍ・Ｋ）の範囲に設定したことにより、老若男女を問わず誰でも熱変色性の像または筆跡を手動摩擦による摩擦熱で確実且つ容易に熱変色させることができる。
【００１２】
前記摩擦体の摩擦部の熱伝導率が、２０ワット毎メートル毎ケルビン（Ｗ／（ｍ・Ｋ））を超える場合、例えば、老人や子供では、摩擦体の摩擦熱で熱変色性の像または筆跡を確実に熱変色させることができないおそれがある。一方、前記摩擦体の摩擦部の熱伝導率が、０．０５ワット毎メートル毎ケルビン（Ｗ／（ｍ・Ｋ））より小さい場合、過熱により摩擦体や紙面を損傷させるおそれがある。
【００１３】
本願の第３の発明は、前記第１の発明において、前記摩擦体の摩擦部の熱伝導率を、０．０５Ｗ／（ｍ・Ｋ）〜２０Ｗ／（ｍ・Ｋ）の範囲に設定したことを要件とする。
【００１４】
前記第３の発明の摩擦体は、０．０５Ｗ／（ｍ・Ｋ）〜１０Ｗ／（ｍ・Ｋ）の範囲に設定したことにより、老若男女を問わず誰でも熱変色性の像または筆跡を手動摩擦による摩擦熱で確実且つ容易に熱変色させることができる。
【００１５】
前記摩擦体の摩擦部の熱伝導率が、１０ワット毎メートル毎ケルビン（Ｗ／（ｍ・Ｋ））を超える場合、例えば、老人や子供では、摩擦体の摩擦熱で熱変色性の像または筆跡を確実に熱変色させることができないおそれがある。一方、摩擦体の摩擦部の熱伝導率が、０．０５ワット毎メートル毎ケルビン（Ｗ／（ｍ・Ｋ））より小さい場合、過熱により摩擦体や紙面を損傷させるおそれがある。
【００１６】
前記第１、第２、第３の発明において、前記熱伝導率は、英弘精機製ＡＵＴＯΛ（ＨＣ−０７２）を用いて、加圧力２５０Ｋｇ／ｍ２、高温板温度３５℃、低温板温度５℃で測定した。尚、前記熱伝導率の単位は、ワット毎メートル毎ケルビン（Ｗ／（ｍ・Ｋ））である。尚、第１、第２、第３の発明で、摩擦体の摩擦部とは、紙面上の熱変色性の像または筆跡と接触して摩擦熱を発生する部分である。
【００１７】
本願の第４の発明は、前記第１、第２、または第３の発明において、前記摩擦体の摩擦部の紙面に対する摩擦係数を、０．２〜１．０の範囲に設定したことを要件とする。
【００１８】
前記第４の発明の摩擦体は、前記摩擦体の摩擦部の紙面に対する摩擦係数を、０．２〜１．０の範囲に設定したことにより、より一層、熱変色性の像または筆跡を確実且つ容易に熱変色させることができる。
【００１９】
前記摩擦体の摩擦部の紙面に対する摩擦係数が、０．２より小さい場合、大きな荷重で摩擦しても、熱変色性の像または筆跡を容易に熱変色させることができない。一方、前記摩擦体の摩擦部の紙面に対する摩擦係数が、１．０より大きい場合、摩擦時の紙面との摩擦抵抗が大き過ぎて円滑な手動摩擦が困難となるおそれや、紙面が損傷するおそれがある。
【００２０】
尚、前記摩擦係数（動摩擦係数）は、新東科学（株）製、表面性測定機：ＨＥＩＤＯＮ−１４Ｄを用いて、１００ｍｍ／分、荷重５００ｇ（４．９Ｎ）の条件下で筆記用紙Ａ（旧ＪＩＳ  Ｐ３２０１：化学パルプ１００％を原料に抄造された上質紙、秤量範囲４０〜１５７ｇ／ｍ２  、白色度７５．０％以上）上を摩擦した時の摩擦係数（摩擦力／荷重）を測定した。
【００２１】
本願の第５の発明は、前記第１乃至第４の発明のいずれかの摩擦体を、熱変色性インキを内蔵し且つ熱変色性インキが吐出可能な筆記具の一部に備えた筆記具を要件とする。
【００２２】
前記第５の発明は、筆記具により形成された熱変色性の像または筆跡を、筆記具の一部に備えた摩擦体の摩擦により、確実且つ容易に熱変色させることができる。
【００２３】
本願の第６の発明は、前記第１乃至第４のいずれかの発明の摩擦体と、熱変色性インキを内蔵し且つ熱変色性インキが吐出可能な筆記具とからなる筆記具セットを要件とする。
【００２４】
前記第６の発明は、筆記具により形成された熱変色性の像または筆跡を、筆記具と組み合わされた摩擦体の摩擦により、確実且つ容易に熱変色させることができる。
【００２５】
・摩擦体
前記第１、第２、第３、第４、第５、第６の発明において、摩擦体の材質は、ガラス、金属、石材、樹脂等、いずれであってよいが、例えば、シリコーン樹脂、スチレン系樹脂（スチレンとブタジエンの共重合体、スチレンとエチレンとブタジエンの共重合体）、フッ素系樹脂、クロロプレン樹脂、ニトリル樹脂、ポリエステル系樹脂、エチレンプロピレンジエンゴム（ＥＰＤＭ）、ポリプロピレン、ポリエチレン等の合成樹脂が好ましい。
【００２６】
前記摩擦体は、内部に熱変色性インキを内蔵し且つ該熱変色性インキをペン先より吐出可能な筆記具の一部に設ける構成が好ましい。前記摩擦体を前記筆記具の一部に設ける構成は、例えば、摩擦体を筆記具本体の反ペン先側に設ける構成、または摩擦体を筆記具本体のペン先側に着脱自在のキャップの頂部に設ける構成等が挙げられる。前記摩擦体は、内部に熱変色性インキを内蔵し且つ該熱変色性インキをペン先より吐出可能な筆記具と組み合わせ、筆記具セットとすることもできる。また、前記摩擦体は、摩擦時、その外周面を直接、把持する構成でもよいし、摩擦体を摩擦体ホルダー介して把持する構成でもよい。
【００２７】
・筆記具
前記筆記具のペン先は、例えば、ボールペンチップ、繊維加工体または多孔質加工体よりなるペン体、軸方向の毛細管通路を有する合成樹脂の押出成形体よりなるペン体、先端にスリットを有する金属板製ペン体、毛筆ペン体等が挙げられる。前記筆記具は、熱変色性インキを内部に直接収容する直液式、または熱変色性インキをインキ吸蔵体に含浸させる中綿式等が挙げられる。
【００２８】
・熱変色性インキ
尚、本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２９】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性マイクロカプセル顔料が好適に用いられる。
【００３０】
本発明では、図８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００３１】
本発明では、前記熱変色性インキの摩擦体の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる像または筆跡を摩擦体による摩擦熱で容易に変色することができる。
【００３２】
前記可逆熱変色性マイクロカプセル顔料は、粒子径の平均値が０．５〜５．０μｍ、好ましくは１〜４μｍの範囲にあることが好ましい。平均粒子径が５．０μｍを越える系では、ボールペンチップや多孔質ペン体の毛細間隙からの流出性が低下し、平均粒子径が０．５μｍ以下の系では高濃度の発色性を示し難くなる。
【００３３】
前記可逆熱変色性マイクロカプセル顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【発明の効果】
【００３４】
本発明の摩擦体によれば、老若男女を問わず誰でも熱変色性の像または筆跡を容易且つ確実に熱変色させることができる。
【発明を実施するための最良の形態】
【００３５】
＜第１の実施の形態＞
本発明の第１の実施の形態を説明する（図１参照）。
本実施の形態は、筆記具本体２と、筆記具本体２のペン先側に着脱自在のキャップ６と、筆記具本体２の後端に取り付けられる摩擦体７とからなる筆記具１である。前記筆記具本体２内には、熱変色性インキ４が内蔵され、ペン先３より熱変色性インキ４が吐出される。前記筆記具本体２のペン先３と紙面との接触により、熱変色性の像または筆跡が紙面上に得られる。前記紙面上に形成された像または筆跡を摩擦体７で摩擦することにより、前記熱変色性の像または筆跡を熱変色させることができる。
【００３６】
前記筆記具本体２は、ボールペンチップよりなるペン先３と、該ペン先３が前端に固着されたペン先ホルダー２２と、該ペン先ホルダー２２が前端に固着されたインキ収容筒２３と、前記インキ収容筒２３の後端開口部に取り付けられる通気孔を備えた尾栓２４と、前記インキ収容筒２３を内部に収容する軸筒２１とからなる。前記インキ収容筒２３内には、熱変色性インキ４と、該熱変色性インキ４の後端に配置され且つ該熱変色性インキ４の消費に伴い前進する追従体５とが収容される。
【００３７】
ペン先３の前端には回転可能にボールが抱持される。前記ペン先３内には、弾発体３１（コイルスプリング）が収容され、前記弾発体３１により前記ボールが前方に付勢され、前記ボールがペン先３の内向きの前端縁部内面に圧接される。
【００３８】
キャップ６内には、軟質材料からなるペン先シール部材６１が収容され、キャップ６をペン先側に装着したとき、前記ペン先シール部材６１にペン先３が密接し、ペン先３が密封される。
【００３９】
前記軸筒２１は、互いに螺着される前軸２１ａと後軸２１ｂとからなる。前記軸筒２１（前軸２１ａ）の前端孔よりペン先３が外部に突出される。前記軸筒２１（後軸２１ｂ）の後端孔には、軟質の合成樹脂よりなる摩擦体７が取り付けられる。前記摩擦体７の外面には外向突起７１が形成され、軸筒２１の後端孔の内面には内向突起２１ｃが形成され、前記外向突起７１と前記内向突起２１ｃとが乗り越え係止することにより、摩擦体７が後端孔から脱落することを回避できる。
【００４０】
尚、本実施の形態において、前記摩擦体７の摩擦部の熱伝導率は、０．０５Ｗ／（ｍ・Ｋ）〜１．０Ｗ／（ｍ・Ｋ）の範囲に設定され、前記摩擦体７の摩擦部の紙面に対する摩擦係数は、０．２〜１．０の範囲に設定されている。
【００４１】
＜第２の実施の形態＞
本発明の第２の実施の形態を説明する（図２参照）。
本実施の形態は、筆記具本体２と、筆記具のペン先側に着脱自在のキャップ６と、キャップ６の頂部に取り付けられる摩擦体７とからなる筆記具１である。前記筆記具本体２内には、熱変色性インキ４が内蔵され、ペン先３より熱変色性インキ４が吐出される。前記筆記具本体２のペン先３と紙面との接触により、熱変色性の像または筆跡が紙面上に得られる。前記紙面上に形成された像または筆跡を摩擦体７で摩擦することにより、前記熱変色性の像または筆跡を熱変色させることができる。
【００４２】
前記筆記具本体２は、ボールペンチップよりなるペン先３と、該ペン先３が前端に固着されたペン先ホルダー２２と、該ペン先ホルダー２２が前端に固着されたインキ収容筒２３と、前記インキ収容筒２３の後端開口部に取り付けられる通気孔を備えた尾栓２４と、前記インキ収容筒２３を内部に収容する軸筒２１とからなる。前記インキ収容筒２３内には、熱変色性インキ４と、該熱変色性インキ４の後端に配置され且つ該熱変色性インキ４の消費に伴い前進する追従体５とが収容される。前記軸筒２１は、互いに螺着される前軸２１ａと後軸２１ｂとからなる。前記軸筒２１（前軸２１ａ）の前端孔よりペン先３が外部に突出される。
【００４３】
ペン先３の前端には回転可能にボールが抱持される。前記ペン先３内には、弾発体３１（コイルスプリング）が収容され、前記弾発体３１により前記ボールが前方に付勢され、前記ボールがペン先３の内向きの前端縁部内面に圧接される。
【００４４】
キャップ６内には、軟質材料からなるペン先シール部材６１が収容され、キャップ６をペン先側に装着したとき、前記ペン先シール部材６１にペン先３が密接し、ペン先３が密封される。前記キャップ６の頂部の取付孔には、軟質の合成樹脂よりなる摩擦体７が取り付けられる。
【００４５】
尚、本実施の形態において、前記摩擦体７の摩擦部の熱伝導率は、０．０５Ｗ／（ｍ・Ｋ）〜１．０Ｗ／（ｍ・Ｋ）の範囲に設定され、前記摩擦体７の摩擦部の紙面に対する摩擦係数は、０．２〜１．０の範囲に設定されている。
【００４６】
＜第３の実施の形態＞
本発明の第３の実施の形態を説明する（図３参照）。
本実施の形態は、筆記具本体２と、筆記具本体２のペン先側に着脱自在のキャップ６と、筆記具本体２の後端に取り付けられる摩擦体７とからなる筆記具１である。前記筆記具本体２内には、熱変色性インキ４が内蔵され、ペン先３より熱変色性インキ４が吐出される。前記筆記具本体２のペン先３と紙面との接触により、熱変色性の像または筆跡が紙面上に得られる。前記紙面上に形成された像または筆跡を摩擦体７で摩擦することにより、前記熱変色性の像または筆跡を熱変色することができる。
【００４７】
前記筆記具本体２は、繊維加工体または多孔質体からなるペン先３と、前記ペン先３を前端部に前後に移動可能に取り付けたインキタンク２５と、ペン先３を後方に押圧することにより開口する弁装置２６と、前記インキタンク２５の後部を保持する軸筒２１と、前記軸筒２１の後端部に取り付けた軟質の合成樹脂よりなる摩擦体７とからなる。前記インキタンク２５内には、攪拌部材４１が収容される。
【００４８】
尚、本実施の形態において、前記摩擦体７の摩擦部の熱伝導率は、０．０５Ｗ／（ｍ・Ｋ）〜１．０Ｗ／（ｍ・Ｋ）の範囲に設定され、前記摩擦体７の摩擦部の紙面に対する摩擦係数は、０．２〜１．０の範囲に設定されている。
【００４９】
＜第４の実施の形態＞
本発明の第４の実施の形態を説明する（図４参照）。
本実施の形態は、筆記具本体２と、筆記具本体２のペン先側に着脱自在のキャップ６と、筆記具本体２の後端に取り付けられる摩擦体７とからなる筆記具１である。前記筆記具本体２内には、熱変色性インキが収容され、前記熱変色性インキがペン先３から吐出される。前記筆記具本体２のペン先３と紙面との接触により、熱変色性の像または筆跡が紙面上に得られる。前記紙面上に形成された像または筆跡を摩擦体７で摩擦することにより、前記熱変色性の像または筆跡を熱変色することができる。
【００５０】
前記筆記具本体２は、繊維加工体または多孔質体からなるペン先３と、前記ペン先３を保持するペン先ホルダー２２と、前記ペン先ホルダー２２を前端部に備え且つ内部にインキ吸蔵体２７を備えた軸筒２１と、前記軸筒２１の後端部に取り付けられる軟質の合成樹脂よりなる摩擦体７とからなる。前記インキ吸蔵体２７は連続気孔を有する部材（例えば、繊維加工体、多孔質気泡体等の多孔質材料）からなり、前記インキ吸蔵体２７には、熱変色性インキが含浸される。前記インキ吸蔵体２７の前端部にペン先３の後端部が接続される。前記摩擦体７は、軸筒２１の後端部の外面に、嵌合により被着させるか、あるいは２色成形により一体に形成される。
【００５１】
尚、本実施の形態において、前記摩擦体７の摩擦部の熱伝導率は、０．０５Ｗ／（ｍ・Ｋ）〜１．０Ｗ／（ｍ・Ｋ）の範囲に設定され、前記摩擦体７の摩擦部の紙面に対する摩擦係数は、０．２〜１．０の範囲に設定されている。
【００５２】
＜第５の実施の形態＞
本発明の第５の実施の形態を説明する（図５参照）。
本実施の形態は、筆記具本体２の前端にペン先３を備え且つ筆記具本体２の後端に摩擦体７を備えた筆記具１である。前記筆記具本体２内には、熱変色性インキ４が収容され、前記熱変色性インキ４がペン先３から吐出される。前記筆記具本体２のペン先３と紙面との接触により、熱変色性の像または筆跡が紙面上に得られる。前記紙面上に形成された像または筆跡を摩擦体７で摩擦することにより、前記熱変色性の像または筆跡を熱変色することができる。
【００５３】
前記筆記具本体２は、ボールペンチップよりなるペン先３と、前記ペン先３を保持するペン先ホルダー２２と、前記ペン先ホルダー２２を前端部に備えるインキ保溜体２８と、前記インキ保溜体２８を前端部に備え且つ内部に熱変色性インキ４を直に貯留するインキタンク２５とからなる。前記インキ保溜体２８は、前記ペン先３とインキタンク２５との間に配置され、インキタンク２５内の圧力上昇に伴う溢出インキを一時的に保持する部材であり、ここでは、櫛歯状のものが採用されている。前記摩擦体７は、軟質の合成樹脂からなり、インキタンク２５の後端孔に取り付けられる。
【００５４】
尚、本実施の形態において、前記摩擦体７の摩擦部の熱伝導率は、０．０５Ｗ／（ｍ・Ｋ）〜１．０Ｗ／（ｍ・Ｋ）の範囲に設定され、前記摩擦体７の摩擦部の紙面に対する摩擦係数は、０．２〜１．０の範囲に設定されている。
【００５５】
＜第６の実施の形態＞
本発明の第６の実施の形態を説明する（図６及び図７参照）。
本実施の形態は、筆記具１と摩擦体７とからなる筆記具セットである。
前記筆記具１内には、熱変色性インキ４が内蔵され、ペン先３より熱変色性インキ４が吐出される。前記筆記具１のペン先３と紙面との接触により、熱変色性の像または筆跡が紙面上に得られる。前記紙面上に形成された像または筆跡を摩擦体７で摩擦することにより、熱変色することができる。
【００５６】
前記筆記具１は、前端にペン先３を備え且つ内部に熱変色性インキ４が収容された筆記具本体２と、前記筆記具本体２のペン先側に着脱自在のキャップ６とからなる。
【００５７】
前記筆記具本体２は、ボールペンチップよりなるペン先３と、該ペン先３が前端に固着されたペン先ホルダー２２と、該ペン先ホルダー２２が前端に固着されたインキ収容筒２３と、前記インキ収容筒２３の後端開口部に取り付けられる通気孔を備えた尾栓２４と、前記インキ収容筒２３を内部に収容する軸筒２１とからなる。前記インキ収容筒２３内には、熱変色性インキ４と、該熱変色性インキ４の後端に配置され且つ該熱変色性インキ４の消費に伴い前進する追従体５とが収容される。前記軸筒２１は、互いに螺着される前軸２１ａと後軸２１ｂとからなる。前記軸筒２１（前軸２１ａ）の前端孔よりペン先３が外部に突出される。
【００５８】
ペン先３の前端には回転可能にボールが抱持される。前記ペン先３内には、弾発体３１（コイルスプリング）が収容され、前記弾発体３１により前記ボールが前方に付勢され、前記ボールがペン先３の内向きの前端縁部内面に圧接される。
【００５９】
キャップ６内には、軟質材料からなるペン先シール部材６１が収容され、キャップ６をペン先側に装着したとき、前記ペン先シール部材６１にペン先３が密接し、ペン先３が密封される。
【００６０】
前記摩擦体７は、軟質の合成樹脂からなる外面に外向突起７１を備える。前記摩擦体７は、摩擦体ホルダー８の前端部に取り付けられる。前記摩擦体ホルダー８は、筒状であり、前端部内面に内向突起８１が形成される。前記内向突起８１と外向突起７１が乗り越え係止され、摩擦体７の脱落が防止される。
【００６１】
尚、本実施の形態において、前記摩擦体７の摩擦部の熱伝導率は、０．０５Ｗ／（ｍ・Ｋ）〜１．０Ｗ／（ｍ・Ｋ）の範囲に設定され、前記摩擦体７の摩擦部の紙面に対する摩擦係数は、０．２〜１．０の範囲に設定されている。
【図面の簡単な説明】
【００６２】
【図１】本発明の第１の実施の形態の縦断面図である。
【図２】本発明の第２の実施の形態の縦断面図である。
【図３】本発明の第３の実施の形態の縦断面図である。
【図４】本発明の第４の実施の形態の縦断面図である。
【図５】本発明の第５の実施の形態の縦断面図である。
【図６】本発明の第６の実施の形態の筆記具の縦断面図である。
【図７】本発明の第６の実施の形態の摩擦体の縦断面図である。
【図８】加熱消色型可逆熱変色性インキの変色挙動を示す説明図である。
【符号の説明】
【００６３】
１  筆記具
２  筆記具本体
２１  軸筒
２１ａ  前軸
２１ｂ  後軸
２１ｃ  内向突起
２２  ペン先ホルダー
２３  インキ収容筒
２４  尾栓
２５  インキタンク
２６  弁装置
２７  インキ吸蔵体
２８  インキ保溜体
３  ペン先
３１  弾発体
４  熱変色性インキ
４１  攪拌部材
５  追従体
６  キャップ
６１  ペン先シール部材
７  摩擦体
７１  外向突起
８  摩擦体ホルダー
８１  内向突起
【図１】
2008290392.tif 000003
【図２】
2008290392.tif 000004
【図３】
2008290392.tif 000005
【図４】
2008290392.tif 000006
【図５】
2008290392.tif 000007
【図６】
2008290392.tif 000008
【図７】
2008290392.tif 000009
【図８】
2008290392.tif 000010